(57)【要約】【課題】複数のＤＣＤＣコンバータの出力端子を並列接続する電源システムにおいて、電流フィードバック制御を行うＤＣＤＣコンバータの出力電流を精度よく調整可能にする。【解決手段】それぞれの出力端子が並列接続された昇圧回路１１，２１と、昇圧回路２１の出力電流を検出する電流センサ２６と、昇圧回路１１の出力電圧を検出する電圧センサ１６と、電流センサ２６による検出値を取得し、その取得した検出値に基づいて、昇圧回路２１の出力電流を調整する制御を実施する制御部２４と、電圧センサ１６による検出値を取得し、その取得した検出値に基づいて、昇圧回路１１の出力電圧を調整する制御を実施する制御部１４と、を備える電源システムであって、電流センサ２６は、昇圧回路２１及び制御部２４が収容されている筐体２５に収容されている。【選択図】      図１
2018023189.tif 000002
【特許請求の範囲】
【請求項１】
それぞれの出力端子が並列接続された第１ＤＣＤＣコンバータ（２１）及び第２ＤＣＤＣコンバータ（１１）と、
前記第１ＤＣＤＣコンバータの出力電流を検出する電流センサ（２６）と、
前記第２ＤＣＤＣコンバータの出力電圧を検出する電圧センサ（１６）と、
前記電流センサによる検出値を取得し、その取得した検出値に基づいて、前記第１ＤＣＤＣコンバータの前記出力電流を調整する制御を実施する第１制御部（２４）と、
前記電圧センサによる検出値を取得し、その取得した検出値に基づいて、前記第２ＤＣＤＣコンバータの前記出力電圧を調整する制御を実施する第２制御部（１４）と、を備える電源システムであって、
前記電流センサは、前記第１ＤＣＤＣコンバータ及び前記第１制御部が収容されている第１筐体（２５）に収容されていることを特徴とする電源システム。
【請求項２】
前記第１ＤＣＤＣコンバータの高電圧側出力端子が接続される第１高電圧配線（ＬＰ２）と、前記第１ＤＣＤＣコンバータの低電圧側出力端子が接続される第１低電圧配線（ＬＮ２）と、前記第１高電圧配線及び前記第１低電圧配線と絶縁されている複数の第１中性点と、を有し、前記第１高電圧配線と前記第１中性点との間、及び、前記第１低電圧配線と前記第１中性点との間に半導体スイッチング素子を実装可能な第１インバータ実装部（２３）を備え、
前記第１インバータ実装部は前記第１筐体内に収容されており、
前記複数の第１中性点は、それぞれ前記第１筐体に設けられている複数の第１端子（Ｐ２Ｂ）と接続されており、
前記第１高電圧配線と前記複数の第１中性点のうちの１つとが短絡され、前記第１低電圧配線と前記複数の第１中性点のうち前記第１高電圧配線と短絡されているものとは異なる１つとが短絡され、
前記第１ＤＣＤＣコンバータの出力端子は、前記第１中性点に接続されている前記第１端子を介して、前記第２ＤＣＤＣコンバータの出力端子と並列接続されていることを特徴とする請求項１に記載の電源システム。
【請求項３】
前記電流センサは、前記第１筐体内であって、前記第１中性点と、その第１中性点に接続されている前記第１端子との間に設けられていることを特徴とする請求項２に記載の電源システム。
【請求項４】
前記第２ＤＣＤＣコンバータの高電圧側出力端子が接続される第２高電圧配線（ＬＰ１）と、前記第２ＤＣＤＣコンバータの低電圧側出力端子が接続される第２低電圧配線（ＬＮ１）と、前記第２高電圧配線及び前記第２低電圧配線と絶縁されている複数の第２中性点とを有し、前記第２高電圧配線と前記第２中性点との間、及び、前記第２低電圧配線と前記第２中性点との間に半導体スイッチング素子を実装可能な第２インバータ実装部（１３）を備え、
前記第２インバータ実装部は、前記第２ＤＣＤＣコンバータ及び前記第２制御部が収容されている第２筐体（１５）に収容されており、
前記複数の第２中性点は、それぞれ前記第２筐体に設けられている複数の第２端子（Ｐ１Ｂ）と接続されており、
前記第２高電圧配線と前記複数の第２中性点のうち１つとが短絡され、前記第２低電圧配線と前記複数の第２中性点のうち前記第２高電圧配線と短絡されているものとは異なる１つとが短絡され、
前記第２ＤＣＤＣコンバータの出力端子は、前記第２中性点に接続されている前記第２端子を介して、前記第１ＤＣＤＣコンバータの出力端子と並列接続されていることを特徴とする請求項１乃至３のいずれか１項に記載の電源システム。
【発明の詳細な説明】
【技術分野】
【０００１】
複数のＤＣＤＣコンバータの出力側が互いに並列接続されて構成される電源システムに関する。
【背景技術】
【０００２】
蓄電池から昇圧回路を介して負荷に対して電力を供給する場合に、負荷に対する供給電力を増加させる構成として、２以上の昇圧回路の出力端子を並列接続する手法がある。特許文献１には、１の昇圧回路（基本コンバータ）において電圧のフィードバック制御を行い、他の昇圧回路（追加コンバータ）において電流のフィードバック制御を行う構成が開示されている。
【先行技術文献】
【特許文献】
【０００３】
【特許文献１】特開２０１４−１２１２２１号公報
【発明の概要】
【発明が解決しようとする課題】
【０００４】
ここで、特許文献１に記載の構成では、フィードバック制御に用いる電流センサによる電流の検出を昇圧回路の入力側（蓄電池側）で行っている。また、新たに電流センサを設ける場合に、その設置位置によっては、検出値に対して外来ノイズが重畳することが懸念される。
【０００５】
本発明は、上記課題に鑑みてなされたものであり、複数のＤＣＤＣコンバータの出力端子を並列接続する電源システムにおいて、電流フィードバック制御を行うＤＣＤＣコンバータの出力電流を精度よく調整可能にすることを主たる目的とする。
【課題を解決するための手段】
【０００６】
本構成は、それぞれの出力端子が並列接続された第１ＤＣＤＣコンバータ（２１）及び第２ＤＣＤＣコンバータ（１１）と、前記第１ＤＣＤＣコンバータの出力電流を検出する電流センサ（２６）と、前記第２ＤＣＤＣコンバータの出力電圧を検出する電圧センサ（１６）と、前記電流センサによる検出値を取得し、その取得した検出値に基づいて、前記第１ＤＣＤＣコンバータの前記出力電流を調整する制御を実施する第１制御部（２４）と、前記電圧センサによる検出値を取得し、その取得した検出値に基づいて、前記第２ＤＣＤＣコンバータの前記出力電圧を調整する制御を実施する第２制御部（１４）と、を備える電源システムであって、前記電流センサは、前記第１ＤＣＤＣコンバータ及び前記第１制御部が収容されている第１筐体（２５）に収容されていることを特徴とする電源システムである。
【０００７】
本構成によれば、第１ＤＣＤＣコンバータの出力側に流れる電流を電流センサによって検出し、その検出値を用いて制御を行うことで、第１ＤＣＤＣコンバータの出力電流を精度よく調整することができる。さらに、電流センサを第１ＤＣＤＣコンバータ及び第１制御部と同じ第１筐体内に設ける構成とすることで、出力電流の検出値に与える外来ノイズの影響を抑制することができ、その結果、第１ＤＣＤＣコンバータの出力電流をより精度よく調整することができる。
【図面の簡単な説明】
【０００８】
【図１】本実施形態における電源システムの電気的構成を表す図。
【図２】副電源装置の制御部による定電流制御を表す機能ブロック図。
【発明を実施するための形態】
【０００９】
図１に示す本実施形態における電源システムは、昇圧回路１１（第２ＤＣＤＣコンバータ）の出力端子と、昇圧回路２１（第１ＤＣＤＣコンバータ）の出力端子とが並列接続されて構成されるものである。並列接続された昇圧回路１１，２１の出力端子は、インバータ回路１２の入力端子に接続されており、昇圧回路１１，２１の出力電力はインバータ回路１２に対して入力される。なお、昇圧回路１１，２１は、インバータ回路１２から入力される電力を降圧してバッテリ１０１，１０２に出力することが可能である。
【００１０】
昇圧回路１１とインバータ回路１２とは、筐体１５（第２筐体）に収容されており、主電源装置１０を構成する。また、昇圧回路２１は、筐体２５（第１筐体）に収容されており、副電源装置２０を構成している。筐体１５，２５は電源装置１０，２０の外部から内部に対して電磁ノイズ（外来ノイズ）が侵入することを抑制し、また、電源装置１０，２０の内部から外部に対して電磁ノイズを放射することを抑制する。筐体１５，２５は、例えば、金属製の箱である。以下、各電源装置１０，２０についての説明を行う。
【００１１】
主電源装置１０は、主バッテリ１０１（蓄電池）から電力を供給され、回転電機１１０に対して電力を供給する。主電源装置１０は、同期整流方式の昇圧回路１１と、三相交流電力を出力するインバータ回路１２と、電力入力部１３と、制御部１４と、を備えている。また、昇圧回路１１と、インバータ回路１２と、電力入力部１３（第２インバータ実装部）と、制御部１４（第２制御部）とは、筐体１５に収容されている。
【００１２】
昇圧回路１１は、バッテリ１０１から供給される電圧を昇圧し、インバータ回路１２に出力する。昇圧回路１１は、入力側コンデンサＣ１Ａ、出力側コンデンサＣ１Ｂ、リアクトルＬ１、及び、スイッチＳＡ１，ＳＡ２を備えている。スイッチＳＡ１，ＳＡ２として、電圧制御形の半導体スイッチング素子を用いており、より具体的には、ＩＧＢＴである。そして、各スイッチには、フリーホイールダイオードが逆並列にそれぞれ接続されている。
【００１３】
コンデンサＣ１Ａの両端子は、それぞれバッテリ１０１の両端子（昇圧回路１１の入力端子）に接続されている。リアクトルＬ１の第１端子は、バッテリ１０１の高圧側端子に接続されている。また、リアクトルＬ１の第２端子は、高電圧側のスイッチＳＡ１と低電圧側スイッチＳＡ２との接続点、即ち、高電圧側スイッチＳＡ１のエミッタ、及び、低電圧側スイッチＳＡ２のコレクタに接続されている。高電圧側スイッチＳＡ１のコレクタは、昇圧回路１１の高電圧側出力端子に接続されている。低電圧側スイッチＳＡ２のエミッタは、昇圧回路１１の低電圧側出力端子に接続されている。出力側コンデンサＣ１Ｂは、昇圧回路１１の出力端子（インバータ回路１２の入力端子）に接続されている。
【００１４】
制御部１４は、昇圧回路１１の出力電圧を検出する電圧センサから検出値を取得する。次に、取得した検出値に基づいて、スイッチＳＡ１，ＳＡ２のデューティ（オン時間比率）を設定する。そして、各スイッチＳＡ１，ＳＡ２を駆動する駆動部（図示略）に対して、そのデューティを出力する。具体的には、制御部１４は、昇圧回路１１において出力電圧Ｖ１が目標値Ｖ１＊となるように定電圧制御を実施する。駆動部によって、スイッチＳＡ１と、スイッチＳＡ２とは、交互にオン状態とされる。
【００１５】
インバータ回路１２は、高電圧側のスイッチング素子ＳＢｕ，ＳＢｖ，ＳＢｗ（上アームスイッチ）及び低電圧側のスイッチング素子ＳＣｕ，ＳＣｖ，ＳＣｗ（下アームスイッチ）の直列接続体が、３つ並列に接続されて構成されている。各相上、上アームスイッチと下アームスイッチの接続点には、筐体１５に設けられた端子Ｐ１Ａを介して、回転電機１１０の対応する相が接続されている。なお、本実施形態では、スイッチＳＢ，ＳＣとして、電圧制御形の半導体スイッチング素子を用いており、より具体的にはＩＧＢＴを用いている。そして、各スイッチには、フリーホイールダイオードが逆並列にそれぞれ接続されている。
【００１６】
制御部１４は、回転電機１１０を構成する電機子巻線の各相に流れる電流を検出する相電流センサや、回転電機１１０の回転角を検出する回転角センサ等から検出値を取得する。そして、取得した検出値に基づいて、インバータ回路１２を構成する各スイッチＳＢ，ＳＣをオンオフ操作すべく、各操作信号を生成する。そして、各スイッチを駆動する駆動部（図示略）に対して、生成した各操作信号を出力する。駆動部によって、上アームスイッチＳＢｕ，ＳＢｖ，ＳＢｗと、対応する下アームスイッチＳＣｕ，ＳＣｖ，ＳＣｗとは、交互にオン状態とされる。
【００１７】
ここで、主電源装置１０は、インバータ回路１２の入力側、言い換えると、昇圧回路１１の両出力端子に並列接続されるように電力入力部１３を備えている。電力入力部１３の端子Ｐ１Ｂ（第２端子）には、副電源装置２０の端子Ｐ２Ｂ（第１端子）が接続されており、電力入力部１３は、副電源装置２０から供給される電力をインバータ回路１２に出力する。言い換えると、昇圧回路１１の出力端子は、筐体１５に設けられた端子Ｐ１Ｂを介して、昇圧回路２１の出力端子と並列接続されている。
【００１８】
電力入力部１３は、半導体スイッチング素子が実装されれば、インバータ回路として機能することが可能である。即ち、半導体スイッチング素子を実装可能な上アームスイッチ実装部位ＤＡｕ，ＤＡｖ，ＤＡｗと下アームスイッチ実装部位ＤＢｕ，ＤＢｖ，ＤＢｗとを備えている。各実装部位ＤＡ，ＤＢに対して半導体スイッチング素子が実装され、実装した半導体スイッチング素子を制御部１４が制御すれば、電力入力部１３は昇圧回路１１から入力される電力を三相交流に変換し、筐体１５に設けられた端子Ｐ１Ｂから出力することができる。
【００１９】
具体的には、電力入力部１３は、昇圧回路１１の高電圧側出力端子が接続される高電圧配線ＬＰ１（第２高電圧配線）と、昇圧回路１１の低電圧側出力端子が接続される低電圧配線ＬＮ１（第２低電圧配線）と、高電圧配線ＬＰ１及び低電圧配線ＬＮ１と絶縁されている複数の中性点（第２中性点）とを有する。また、各中性点は、それぞれ筐体１５に設けられている複数の端子Ｐ１Ｂと接続されている。電力入力部１３は、高電圧配線ＬＰ１と中性点との間（即ち、上アームスイッチ実装部位ＤＡｕ，ＤＡｖ，ＤＡｗ）、及び、低電圧配線ＬＮ１と中性点との間（即ち、下アームスイッチ実装部位ＤＢｕ，ＤＢｖ，ＤＢｗ）に半導体スイッチング素子が実装されれば、インバータ回路を構成可能である。
【００２０】
主電源装置１０は、電力入力部１３の各実装部位ＤＡ，ＤＢに対して半導体スイッチング素子が実装されると、２つのインバータ回路を備える構成となる。各インバータ回路に対して、回転電機をそれぞれ接続することで、同時に２つの回転電機を駆動することが可能になる。言い換えると、本実施形態の主電源装置１０は、２つのインバータ回路を備える構成の電源装置において、２つのインバータ回路のうちの一方からスイッチを省略し、電力入力部１３として用いている。
【００２１】
本実施形態における電力入力部１３は、スイッチ実装部位ＤＡｕ，ＤＢｗが短絡状態とされ、他のスイッチ実装部位ＤＡｖ，ＤＡｗ，ＤＢｕ，ＤＢｖが開放状態とされている。これにより、電力入力部１３は、副電源装置２０の昇圧回路２１から端子Ｐ１Ｂを介して入力される直流電力をインバータ回路１２に出力する。なお、複数の相（本実施形態では３相）のどの上アームスイッチ実装部位を短絡し、どの下アームスイッチ実装部位を短絡するかは、任意に選択可能である。言い換えると、高電圧配線ＬＰ１と中性点のうち１つとが短絡され、低電圧配線ＬＮ１と中性点のうち高電圧配線ＬＰ１と短絡されているものとは異なる１つとが短絡されていればよい。
【００２２】
副電源装置２０は、副バッテリ１０２（蓄電池）から電力を供給され、主電源装置１０のインバータ回路１２に対して電力を供給する。副電源装置２０は、同期整流方式の昇圧回路２１と、インバータ実装部２２と、電力出力部２３（第１インバータ実装部）と、制御部２４（第１制御部）と、を備えている。また、昇圧回路２１と、インバータ実装部２２と、電力出力部２３と、制御部２４とは、筐体２５に収容されている。
【００２３】
主電源装置１０と副電源装置２０とは、スイッチＳＢ，ＳＣ、電圧センサ１６、及び、電流センサ１７，２６の実装を除いて、筐体及び基板が共通化されている。即ち、昇圧回路１１と昇圧回路２１とは同一の構成である。電力入力部１３と、電力出力部２３とは同一の構成である。インバータ回路１２と、インバータ実装部２２とは、スイッチの実装を除き同一の構成である。
【００２４】
主電源装置１０と副電源装置２０とで、筐体及び基板を共通化することで、製造コストを低減することができ、また、主電源装置１０と副電源装置２０に対する試験を共通化することができる。
【００２５】
また、制御部１４と制御部２４とは同一の回路構成であるとともに、ＲＯＭに書き込まれたプログラムが異なるものであり、異なる制御を実施する。即ち、制御部１４は、昇圧回路１１において電圧センサ１６の検出値に基づく電圧フィードバック制御を実施するとともに、インバータ回路１２において電流センサ１７の検出値に基づく電流フィードバック制御を実施する。一方、制御部２４は、昇圧回路２１において電流センサ２６の検出値に基づく電流フィードバック制御を実施する。
【００２６】
昇圧回路２１は、バッテリ１０２から供給される電圧を昇圧し、電力出力部２３に出力する。昇圧回路２１は、昇圧回路１１と同一の構成である。具体的には、昇圧回路２１は、入力側コンデンサＣ２Ａ、出力側コンデンサＣ２Ｂ、リアクトルＬ２、及び、スイッチＳＤ１，ＳＤ２を備えている。スイッチＳＤ１，ＳＤ２として、電圧制御形の半導体スイッチング素子を用いており、より具体的には、ＩＧＢＴである。そして、各スイッチには、フリーホイールダイオードが逆並列にそれぞれ接続されている。
【００２７】
電力出力部２３は、副電源装置２０の筐体２５に設けられた端子Ｐ２Ｂ及び主電源装置１０の筐体１５に設けられた端子Ｐ１Ｂを介して、昇圧回路２１の出力端子と、昇圧回路１１の出力端子とを並列接続する。これにより、昇圧回路２１の出力電力をインバータ回路１２に入力する。
【００２８】
電力出力部２３は、主電源装置１０の電力入力部１３と同様に、半導体スイッチング素子が実装されれば、インバータ回路として機能することが可能である。即ち、半導体スイッチング素子を実装可能な上アームスイッチ実装部位ＤＣｕ，ＤＣｖ，ＤＣｗと下アームスイッチ実装部位ＤＤｕ，ＤＤｖ，ＤＤｗとを備えている。各実装部位ＤＣ，ＤＤに対して半導体スイッチング素子が実装され、実装した半導体スイッチング素子を制御部２４が制御すれば、電力出力部２３は昇圧回路２１から入力される電力を三相交流に変換し、筐体２５に設けられた端子Ｐ２Ｂから出力することができる。
【００２９】
電力出力部２３は、スイッチ実装部位ＤＣｕ，ＤＤｗが短絡状態とされ、他のスイッチ実装部位ＤＣｖ，ＤＣｗ，ＤＤｕ，ＤＤｖが開放状態とされている。これにより、電力出力部２３は、昇圧回路２１から入力される直流電力を、端子Ｐ２Ｂを介してインバータ回路１２に出力する。なお、複数の相（本実施形態では３相）のどの上アームスイッチ実装部位を短絡し、どの下アームスイッチ実装部位を短絡するかは、任意に選択可能である。言い換えると、高電圧配線ＬＰ２（第１高電圧配線）と中性点（第１中性点）のうち１つとが短絡され、低電圧配線ＬＮ２（第１低電圧配線）と中性点（第１中性点）のうち高電圧配線ＬＰ２と短絡されているものとは異なる１つとが短絡されていればよい。
【００３０】
本実施形態における電力出力部２３は、スイッチ実装部位ＤＣｕ，ＤＤｗが短絡状態とされ、他のスイッチ実装部位ＤＣｖ，ＤＣｗ，ＤＤｕ，ＤＤｖが開放状態とされることで、昇圧回路２１から入力される直流電力を端子Ｐ２Ｂから出力する。
【００３１】
ここで、電力出力部２３は、電力出力部２３がインバータ回路として用いられた場合に、そのインバータ回路の出力電流を検出する相電流センサを設けることが可能なように設計されている。そこで、本実施形態では、その相電流センサの設置位置、具体的には、Ｕ相、又は、Ｗ相の出力電流を検出可能な位置に電流センサ２６を設ける構成としている。
【００３２】
制御部２４は、電流センサ２６から昇圧回路２１の出力電流の検出値を取得する。そして、制御部２４は、電流センサ２６から取得した検出値に基づいて、昇圧回路２１の出力電流、即ち、副電源装置２０の出力電流が、所定の目標電流となるようにスイッチＳＤ１，ＳＤ２のオンオフ操作を行う。制御部２４による電流フィードバック制御の詳細については後述する。
【００３３】
副電源装置２０は、電力出力部２３に加え、上アームスイッチ実装部位ＤＥｕ，ＤＥｖ，ＤＥｗと下アームスイッチ実装部位ＤＦｕ，ＤＦｖ，ＤＦｗとを有するインバータ実装部２２を有する。スイッチ実装部位Ｄｅ，ＤＦに対して半導体スイッチング素子が実装され、実装された半導体スイッチング素子を制御部２４が制御すれば、インバータ実装部２２は昇圧回路２１から入力される電力を三相交流に変換し、端子Ｐ２Ａから出力することができる。
【００３４】
図２に本実施形態の制御部２４の機能ブロック図を示す。
【００３５】
制御部２４の電流指令値算出部２４１には、上位の制御装置から副電源装置２０の出力電力Ｗ２の指令値Ｗ２＊が入力される。電力指令値Ｗ２＊は、回転電機１１０に対する出力電力Ｗの目標値Ｗ＊を電源装置の個数で割った値に設定されている（Ｗ２＊＝Ｗ＊／２）。電流指令値算出部２４１は、電力指令値Ｗ２＊を昇圧回路１１の出力電圧Ｖ１の目標値Ｖ１＊で割ることで、昇圧回路２１の出力電流Ｉ２の指令値Ｉ２＊を算出する（Ｉ２＊＝Ｗ２＊／Ｖ１＊）。
【００３６】
偏差算出部２４２は、電流指令値算出部２４１から取得する出力電流の指令値Ｉ２＊と、電流センサ２６から取得する出力電流Ｉ２の検出値の偏差ΔＩ２を算出する。ＰＩ演算部２４３は、偏差算出部２４２から取得する偏差ΔＩ２に基づいて、ＰＩ演算（比例・積分演算）を実施する。なお、ＰＩ演算に代えて、Ｐ演算（比例演算）や、ＰＩＤ演算（比例・積分・微分演算）を実施してもよい。デューティ算出部２４４は、ＰＩ演算部２４３から取得する値に基づいて、スイッチＳＤ１，ＳＤ２のデューティ（オン時間比率）の指令値を算出する。デューティ算出部２４４は、デューティ指令値をスイッチＳＤ１，ＳＤ２をそれぞれ駆動する駆動部２７に出力する。駆動部２７は、デューティ指令値に基づいて、スイッチＳＤ１，ＳＤ２をそれぞれ駆動する。
【００３７】
主電源装置１０の制御部１４が昇圧回路１１の定電圧制御を実施し、主電源装置１０以外の電源装置である副電源装置２０の制御部２４が昇圧回路２１の定電流制御を実施する。これにより、出力端子が並列接続されている昇圧回路１１，２１の双方において定電圧制御を実施した場合に、主として電圧センサの誤差に起因して出力電圧が不安定化することを抑制することができる。また、昇圧回路１１，２１の出力電圧及び出力電力をそれぞれ任意のものとすることができる。
【００３８】
以下、本実施形態の効果を述べる。
【００３９】
本構成によれば、昇圧回路２１の出力側に流れる電流を電流センサ２６によって検出し、その検出値を用いて制御を行うことで、昇圧回路２１の出力電流Ｉ２を精度よく調整することができる。さらに、電流センサ２６を昇圧回路２１及び制御部２４と同じ筐体２５に収容する構成とすることで、出力電流Ｉ２の検出値に与える外来ノイズの影響を抑制することができ、その結果、昇圧回路２１の出力電流Ｉ２をより精度よく調整することができる。
【００４０】
本実施形態の構成は、昇圧回路２１及び制御部２４と同一の筐体２５内に電力出力部２３（インバータ実装部２３）を備えている。インバータ実装部２３の各中性点は、筐体２５に設けられた端子Ｐ２Ｂ（第１端子）に接続されている。インバータ実装部２３に対して半導体スイッチング素子を実装すれば、昇圧回路２１とインバータ回路（インバータ実装部２３）とが直列接続され、昇圧回路２１とインバータ回路とがともに同一の筐体２５内に収容された電力変換装置として機能し、端子Ｐ２Ｂから交流電力が出力される。
【００４１】
本実施形態では、インバータ実装部２３において、半導体スイッチング素子を実装せず、高電圧配線ＬＰ２と中性点の１つとを短絡し、低電圧配線ＬＮ２と中性点の１つとを短絡する。これにより、昇圧回路２１の出力電力を端子Ｐ２Ｂから取り出すことができる。つまり、昇圧回路２１とインバータ回路（インバータ実装部２３）とがともに同一の筐体２５内に収容された電力変換装置を流用する場合に、その構成を大幅に変更することなく、昇圧回路２１の出力端子と昇圧回路１１の出力端子とを並列接続することが可能になる。
【００４２】
インバータ実装部２３に対して半導体スイッチング素子を実装すれば、昇圧回路２１とインバータ回路（インバータ実装部２３）とが直列接続され、昇圧回路２１とインバータ回路とがともに同一の筐体２５内に収容された電力変換装置として機能し、端子Ｐ２Ｂから交流電力が出力される。ここで、インバータ回路１２と同様に、インバータ回路の出力を調整する場合、インバータ回路の出力電流を検出し、その検出値に基づいて、インバータ回路を構成する半導体スイッチング素子を駆動することが一般的である。この場合、インバータ実装部２３の中性点と、端子Ｐ２Ｂとの間に、インバータ回路の出力電流を検出する電流センサが設けられる。
【００４３】
一般的に電流センサは体格が大きい。このため、従来品の電力変換装置に対して、その筐体内（電力変換装置内）に新たに電流センサ２６を設けるための空間を確保することは困難である。そこで、本実施形態では、インバータ実装部２３がインバータ回路として用いられる場合そのインバータ回路の出力電流を検出する電流センサを設ける位置に対して、昇圧回路２１の出力電流を検出する電流センサ２６を設ける構成とした。これにより、筐体２５内において、電流センサ２６を設ける空間を容易に確保することができる。
【００４４】
本実施形態の構成は、昇圧回路１１及び制御部１４と同一の筐体１５内に電力入力部１３（インバータ実装部１３）を備えている。インバータ実装部１３の各中性点は、筐体１５に設けられた端子Ｐ１Ｂに接続されている。インバータ実装部１３に対して半導体スイッチング素子を実装すれば、昇圧回路１１とインバータ回路（インバータ実装部１３）とが直列接続され、昇圧回路１１と複数のインバータ回路とがともに同一の筐体１５内に収容された電力変換装置として機能し、端子Ｐ１Ａ，Ｐ１Ｂから交流電力が出力される。
【００４５】
本実施形態では、インバータ実装部１３において、半導体スイッチング素子を実装せず、高電圧配線ＬＰ１と中性点の１つとを短絡し、低電圧配線ＬＮ１と中性点の１つとを短絡する。そして、端子Ｐ１Ｂを介して、昇圧回路２１の出力端子と昇圧回路１１の出力端子とを並列接続する。これにより、昇圧回路１１とインバータ回路（インバータ実装部１３）とがともに同一の筐体内に収容された電力変換装置を流用する場合に、その構成を大幅に変更することなく、昇圧回路１１の出力端子と昇圧回路２１の出力端子とを並列接続することができる。
【００４６】
（他の実施形態）
・昇圧回路２１に電力を供給するものをバッテリ１０２（蓄電池）から変更してもよい。例えば、一般的なキャパシタや、電気二重層キャパシタであってもよい。燃料電池を用いてもよい。太陽電池を用いてもよい。
【００４７】
・昇圧回路１１，２１として、同期整流方式の昇圧回路から変更してもよい。例えば、ダイオード整流方式の昇圧回路としてもよいし、絶縁型ＤＣＤＣコンバータを用いてもよい。また、降圧回路や昇降圧回路などであってもよく、つまり、入力される直流電力を所定の直流電力に変換する回路（ＤＣＤＣコンバータ）であればよい。
【００４８】
・上記実施形態では、１の電圧フィードバック制御を行う昇圧回路１１と、１の電流フィードバック制御を行う昇圧回路２１と、を並列接続して用いる構成を示したが、これを変更してもよい。具体的には、１の電圧フィードバック制御を行う昇圧回路と、任意の数の電流フィードバック制御を行う昇圧回路とを並列接続して用いる構成としてもよい。
【００４９】
・電流センサ２６として、ホール素子型電流センサを用いる構成としたが、これを変更し、他の直流電流を検出可能な電流センサを用いてもよい。例えば、シャント抵抗及び電圧センサを備える電流センサを用いてもよい。
【００５０】
・電流センサ２６について、筐体２５内であれば、他の位置に設置してもよい。即ち、リアクトルＬ２の入力端子、出力端子、又は入力端子若しくは出力端子に接続されている配線に対して電流センサを設ける構成としてもよい。また、電力出力部２３の入力側に電流センサを設ける構成としてもよい。
【００５１】
・主電源装置１０においてインバータ回路１２を省略する構成としてもよい。同様に、副電源装置２０において、インバータ実装部２２を省略する構成としてもよい。また、主電源装置１０において、電力入力部１３を省略する構成としてもよい。同様に、副電源装置２０において、電力出力部２３を省略する構成としてもよい。
【００５２】
また、主電源装置１０は、インバータ回路１２に加え、他のインバータ回路を有する構成であってもよい。また、主電源装置１０は、インバータ実装部１３に加え、他のインバータ実装部を有する構成であってもよい。同様に、副電源装置２０は、インバータ実装部２２，２３に加え、他のインバータ実装部を有する構成であってもよい。
【符号の説明】
【００５３】
１１…昇圧回路（第２ＤＣＤＣコンバータ）、１４…制御部（第２制御部）、１６…電圧センサ、２１…昇圧回路（第１ＤＣＤＣコンバータ）、２４…制御部（第１制御部）、２５…筐体（第１筐体）、２６…電流センサ。
【図１】
2018023189.tif 000003
【図２】
2018023189.tif 000004